(57)【要約】      （修正有）【課題】構造が単純で軽量であり、携帯に便利であるほか、迅速に雨水を排出可能であるテントを提供する。【解決手段】支持フレームと、前記支持フレームを覆うシートを含み、前記支持フレームが、間隔をおいて設けられる少なくとも３つの支持脚１と、隣接する支持脚１の間に設けられる庇フレーム２と、支持脚１の上方に設けられる天井フレーム３とを含むテントであって、庇フレーム２は互いに接続される少なくとも２つの接続フレームを含み、各接続フレームは、交差するように設けられた第１庇ロッドと第２庇ロッドを含み、前記第１庇ロッドと第２庇ロッドは交差箇所で回動可能に接続されており、少なくとも２つの接続フレームにおける第１庇ロッドと第２庇ロッドはそれぞれが前後に連なり、且つ互いにヒンジ接続されるとともに、両端の接続フレームがそれぞれ支持脚１に接続される。【選択図】図１
0003209672.tif 000002
【実用新案登録請求の範囲】
【請求項１】
支持フレームと、前記支持フレームを覆うシートを含み、前記支持フレームが、間隔をおいて設けられる少なくとも３つの支持脚（１）と、隣接する支持脚（１）の間に設けられる庇フレーム（２）と、前記支持脚（１）の上方に設けられる天井フレーム（３）とを含むテントであって、
前記庇フレーム（２）は互いに接続される少なくとも２つの接続フレームを含み、各接続フレームは、交差するように設けられた第１庇ロッド（２１）と第２庇ロッド（２２）を含み、前記第１庇ロッド（２１）と第２庇ロッド（２２）は交差箇所で回動可能に接続されており、少なくとも２つの接続フレームにおける第１庇ロッド（２１）と第２庇ロッド（２２）はそれぞれが前後に連なり、且つ互いにヒンジ接続されるとともに、両端の接続フレームがそれぞれ前記支持脚（１）に接続されることを特徴とするテント。
【請求項２】
前記庇フレーム（２）の中央部は両側よりも高くなっていることを特徴とする請求項１記載のテント。
【請求項３】
前記庇フレーム（２）の中央部は、上向きの三角形状の突起を形成していることを特徴とする請求項２記載のテント。
【請求項４】
前記天井フレーム（３）は少なくとも３つの天井ロッド（３１）と接続部（３２）を含み、前記天井ロッド（３１）の内端は互いに回動可能に前記接続部（３２）に接続されており、前記天井ロッド（３１）の外端は互いに回動可能に前記支持脚（１）の上部に設けられており、前記天井ロッド（３１）の内端は外端よりも高くなっていることを特徴とする請求項２記載のテント。
【請求項５】
前記支持脚（１）は上脚管（１１）及び下脚管（１２）を含み、前記上脚管（１１）の上部は前記庇フレーム（２）に接続されており、前記上脚管（１１）の下部は前記下脚管（１２）の上部に対し上下にスライド可能に接続されていることを特徴とする請求項４記載のテント。
【請求項６】
前記天井フレーム（３）と支持脚（１）の間には支持ロッド（４）が設けられており、前記支持ロッド（４）は、一端が前記上脚管（１１）に回動可能に接続されており、他端が前記天井ロッド（３１）に回動可能に接続されていることを特徴とする請求項５記載のテント。
【請求項７】
前記天井ロッド（３１）は、前後が回動可能に接続される２つのロッド体を含むことを特徴とする請求項６記載のテント。
【考案の詳細な説明】
【技術分野】
【０００１】
本考案はテントに関する。
【背景技術】
【０００２】
折り畳みテントは、例えば大規模展示会、移動式屋台、アウトドアスポーツ、旅行・レジャー、探険、仮設会場、臨時車庫などの日常生活において幅広く活用されており、日光や雨、風を遮ることが可能なほか、コンパクトで丈夫、携帯に便利、収納の自由が利くなどの特徴を備えている。しかし、現在市販されている折り畳みテントはテントフレームが多く、構造が複雑で充分に軽便とはいえない。更には、天井の辺縁がいずれも平らなことから、雨や雪の際に雨水が天井の辺縁に集結するため、素早く雨水を排出するには適さない。また、従来のテントは辺縁の高さが一定であり、背の高い人の場合には出入りの際に腰を折り曲げなければならず、極めて不便であった。
【考案の概要】
【考案が解決しようとする課題】
【０００３】
本考案は、従来のテントでは辺縁がすべて平らなことから、雨や雪の際に雨水を迅速に排出しにくく、且つ、テントの辺縁の高さが一定なことから、背の高い人には出入りしにくいとの技術的課題を解決するためのテントを提供する。
【課題を解決するための手段】
【０００４】
本考案では、上記の技術的課題を解決するために以下の技術方案を用いた。
【０００５】
支持フレームと、前記支持フレームを覆うシートを含み、前記支持フレームが、間隔をおいて設けられる少なくとも３つの支持脚と、隣接する支持脚の間に設けられる庇フレームと、前記支持脚の上方に設けられる天井フレームとを含むテントであって、前記庇フレームは互いに接続される少なくとも２つの接続フレームを含み、各接続フレームは、交差するように設けられた第１庇ロッドと第２庇ロッドを含み、前記第１庇ロッドと第２庇ロッドは交差箇所で回動可能に接続されており、少なくとも２つの接続フレームにおける第１庇ロッドと第２庇ロッドはそれぞれが前後に連なり、且つ互いにヒンジ接続されるとともに、両端の接続フレームがそれぞれ前記支持脚に接続される。
【０００６】
好ましくは、前記庇フレームの中央部は両側よりも高くなっている。
【０００７】
好ましくは、前記庇フレームの中央部は、上向きの三角形状の突起を形成している。
【０００８】
好ましくは、前記天井フレームは少なくとも３つの天井ロッドと接続部を含み、前記天井ロッドの内端は互いに回動可能に前記接続部に接続されており、前記天井ロッドの外端は互いに回動可能に前記支持脚の上部に設けられており、前記天井ロッドの内端は外端よりも高くなっている。
【０００９】
好ましくは、前記支持脚は上脚管及び下脚管を含み、前記上脚管の上部は前記庇フレームに接続されており、前記上脚管の下部は前記下脚管の上部に対し上下にスライド可能に接続されている。
【００１０】
好ましくは、前記天井フレームと支持脚の間には支持ロッドが設けられており、前記支持ロッドは、一端が前記上脚管に回動可能に接続されており、他端が前記天井ロッドに回動可能に接続されている。
【００１１】
好ましくは、前記天井ロッドは、前後が回動可能に接続される２つのロッド体を含む。
【考案の効果】
【００１２】
従来技術と比較して、本考案のテントはシートの中央がせり上がっており、天井の中央が最も高くなっている。また、庇フレームの中央部は上向きの三角形状の突起を形成しており、天井ロッドと支持脚との接続箇所が最も低くなっている。よって、雨が降った場合であっても、雨水は常に支持脚から流れ出すことになる。当該テントは構造が単純で軽量であり、携帯に便利であるほか、迅速に雨水を排出可能である。
【図面の簡単な説明】
【００１３】
【図１】図１は、本考案のテントの実施例１における第１構造図である。
【図２】図２は、本考案のテントの実施例１における第２構造図である。
【図３】図３は、本考案のテントの実施例２における構造図である。
【考案を実施するための形態】
【００１４】
以下に、図面と実施例を組み合わせて本考案につき更に詳細に説明する。
【００１５】
実施例１：
図１及び図２に示すように、テントは、支持フレームと支持フレームを覆うシート（図示しない）を含む。また、支持フレームは４つの支持脚１、４つの庇フレーム２及び天井フレーム３を含む。庇フレーム２は隣接する支持脚１の間に設けられ、天井フレーム３は支持脚１の上部に設けられる。
【００１６】
支持脚１は上脚管１１及び下脚管１２を含む。上脚管１１の上部は庇フレーム２に接続されており、上脚管１１の下部は下脚管１２の上部に対し上下にスライド可能に接続されている。
【００１７】
天井フレーム３は、４つの天井ロッド３１と接続部３２を含む。接続部３２は、天井フレーム３の中央部位又は中央からずれた部位に位置している。天井ロッド３１は、前後が回動可能に接続された２つのロッド体を含む。これにより、天井ロッド３１は展開及び折り畳みが可能となる。天井ロッド３１の内端は互いに回動可能に接続部３２に接続されており、天井ロッド３１の外端は互いに回動可能に支持脚１の上部に設けられている。また、天井ロッド３１の内端は外端よりも高くなっている。天井フレーム３と支持脚１の間には支持ロッド４が設けられている。支持ロッド４は、一端が上脚管１１に回動可能に接続されており、他端が天井ロッド３１に回動可能に接続されている。
【００１８】
庇フレーム２は、互いに接続される４つの接続フレームを含む。各接続フレームは、交差するように設けられた第１庇ロッド２１と第２庇ロッド２２を含み、第１庇ロッド２１と第２庇ロッド２２は交差箇所で回動可能に接続されている。４つの接続フレームにおける第１庇ロッド２１と第２庇ロッド２２はそれぞれが前後に連なり、且つ互いにヒンジ接続されている。また、両端の接続フレームはそれぞれ支持脚１に接続される。庇フレーム２の中央部は両側よりも高くなっており、庇フレーム２の中央部は上向きの三角形状の突起を形成している。
【００１９】
実施例２：
図３に示すように、庇フレーム２は、互いに接続される２つの接続フレームを含む。各接続フレームは、交差するように設けられた第１庇ロッド２１と第２庇ロッド２２を含み、第１庇ロッド２１と第２庇ロッド２２は交差箇所で回動可能に接続されている。２つの接続フレームにおける第１庇ロッド２１と第２庇ロッド２２はそれぞれが前後に連なり、且つ互いにヒンジ接続されている。また、両端の接続フレームはそれぞれ支持脚１に接続される。庇フレーム２の中央部は両側よりも高くなっており、庇フレーム２の中央部は上向きの三角形状の突起を形成している。
【００２０】
以上の実施例では、いずれも四角形のテントを例示して技術方案を説明した。即ち、テントは４つの支持脚１と、４つの庇フレーム２及び４つの天井フレームを備えていた。しかし、実際の応用にあたっては、テントは四角形に限らず、三角形、五角形、六角形等の多角形としてもよい。
【００２１】
テントの天井フレーム３の内端は外端よりも高くなっている。また、庇フレーム２の中央部は上向きの三角形状の突起を形成しているため、庇フレーム２の中央部の位置が高くなっている。よって、背の高い人が出入りしやすいほか、雨や雪が降ったとしても、シート上の雨水を迅速に排出できるため、シート上部に水たまりが形成されることがない。
【００２２】
本考案のテントはシートの中央がせり上がっており、天井の中央が最も高くなっている。また、庇フレーム２の中央部は上向きの三角形状の突起を形成しており、天井ロッド３１と支持脚１との接続箇所が最も低くなっている。よって、雨が降った場合、雨水は常に支持脚１から流れ出すことになる。当該テントは構造が単純で軽量であり、携帯に便利であるほか、迅速に雨水を排出可能である。
【００２３】
なお、以上の実施例は本考案の技術方案を説明するためのものにすぎず、本考案を制限するものではない。上記実施例を参照して本考案を詳細に説明したが、当業者であれば、上記各実施例に記載される技術方案の修正や、一部技術的特徴についての等価の置き換えが可能であると解釈すべきである。また、これらの修正又は置き換えによって、対応する技術方案の本質が本考案における各実施例の技術方案の精神及び範囲から逸脱することはない。
【図１】
0003209672.tif 000003
【図２】
0003209672.tif 000004
【図３】
0003209672.tif 000005